(57)【要約】      （修正有）【課題】空気調和機の吹出口を目立たなくすることで美観の向上を図る。【解決手段】筐体１０と、同筐体の上部に吸込口１４を下部に吹出口を設けた空気調和機において、吹出口は、吹出口の周縁部から少なくとも前後にそれぞれ下方へ広がる傾斜面を備え、傾斜面には、運転停止時に吹出口を覆うように上下風向板４０が近接することで、吹出口と上下風向板４０が筐体１０の底面よりも奥側に位置し、吹出口を上下風向板４０で覆うことで、使用者から視認されなくなり、また運転時においても、吹出口内部が視認されにくくなる。【選択図】図１
2015068566.tif 000002
【特許請求の範囲】
【請求項１】
筐体と、同筐体の上部に吸込口を、下部に吹出口を設け、前記吸込口と前記吹出口を結ぶ送風路に送風ファンと熱交換器と、前記吸込口から吸い込まれ前記吹出口から吹き出される空気の風向を偏向する上下風向板とを備えた空気調和機において、前記吹出口は、前記筐体の底面側よりも上方に位置し、前記吹出口の周縁部から少なくとも前後にそれぞれ下方へ広がる傾斜面を備え、前記上下風向板は前記空気調和機の運転停止時に前記吹出口を覆うように近接することを特徴とする空気調和機。
【請求項２】
前記上下風向板は駆動機構により、前記送風路から吊り下げられるように配置されるとともに前後方向へ回動することを特徴とする請求項１に記載の空気調和機。
【請求項３】
前記上下風向板は、前記空気調和機の運転停止時に、少なくとも前後に前記傾斜面に平行な風向板傾斜部を備えたことを特徴とする請求項１または２に記載の空気調和機。
【発明の詳細な説明】
【技術分野】
【０００１】
本発明は空気調和機に係り、特に吹出口と風向板の構造に関する。
【背景技術】
【０００２】
昨今、室内の壁面に取り付けられる空気調和機の室内機は、設置する室内空間に調和するデザインが好まれている。そのため、本体色には、室内の壁紙に多く使われている白色やベージュ色などの明度の高い色が採用されている。また、形態においては、吸込口や吹出口による凹凸や部品の間に生じる隙間が目立たないように、図６に示すように室内機９０の前面をフラット形状の開閉パネル９１で覆い隠している。これにより、使用者には室内空間に色彩と形態が調和しているように視認され美観の向上がなされている。（特許文献１参照）
【先行技術文献】
【特許文献】
【０００３】
【特許文献１】特開２０１２−０８３０３４号公報
【発明の概要】
【発明が解決しようとする課題】
【０００４】
しかしながら、空気調和機が運転を開始すると、室内機９０の開閉パネル９１は図示しない開閉パネル用の駆動装置により上方または前方へ可動する。これにより、開閉パネル９１で隠されていた吸込口９２や吹出口９３が現れる。特に吹出口９３は上下風向板９４も可動することで、吹出口９３より奥に配置されている左右風向板９５や上下風向板９４の支軸９６等が現れ非常に乱雑な印象を与える。また吹出口９３は使用者が見上げた場合によく見える室内機９０の前面下部に配置されていることで、室内機９０の外観の印象を悪くさせていた。
【０００５】
本発明は以上述べた問題点を解決し、運転停止時には吹出口と風向板が使用者から視認されず、また運転時においても、吹出口内部が視認されづらくなることで美観の向上を図る空気調和機を提供する。
【課題を解決するための手段】
【０００６】
上述した課題を解決するために本発明は、筐体と、同筐体の上部に吸込口を、下部に吹出口を設け、前記吸込口と前記吹出口を結ぶ送風路に送風ファンと熱交換器と、前記吸込口から吸い込まれ前記吹出口から吹き出される空気の風向を偏向する上下風向板とを備えた空気調和機において、前記吹出口は、前記筐体の底面側よりも上方に位置し、前記吹出口の周縁部から少なくとも前後にそれぞれ下方へ広がる傾斜面を備え、前記上下風向板は前記空気調和機の運転停止時に前記吹出口を覆うように近接することを特徴とする。
【０００７】
また、前記上下風向板は駆動機構により、前記送風路から吊り下げられるように配置されるとともに前後方向へ回動する態様も含まれる。
【０００８】
さらに、前記上下風向板は、前記空気調和機の運転停止時に、少なくとも前後に前記傾斜面に平行な風向板傾斜部を備えた態様も含まれる。
【発明の効果】
【０００９】
上記のように構成した本発明の空気調和機は、吹出口と風向板が筐体の底面側よりも上方に位置し、運転停止時に吹出口を上下風向板で覆うことで、吹出口と風向板が使用者から視認されない。また運転時においても、吹出口内部が視認されづらくなることで美観の向上を図ることができる。
【図面の簡単な説明】
【００１０】
【図１】本発明による空気調和機の室内機の運転停止時の外観図である。
【図２】本発明による空気調和機の室内機の運転時の外観図である。
【図３】本発明による空気調和機の室内機の縦断面図であり、（ａ）は運転停止状態を示す図で、（ｂ）は上下風向板の移動を説明する図である。
【図４】本発明による空気調和機の室内機の冷房運転状態を示す図であり、（ａ）は第１例の上下風向板の位置を示す縦断面図で、（ｂ）は第２例の上下風向板の位置を示す縦断面図で、（ｃ）は正面から冷気が吹出されたイメージ図である。
【図５】本発明による空気調和機の室内機の暖房運転状態を示す図であり、（ａ）は第３例の上下風向板の位置を示す縦断面図で、（ｂ）は第４例の上下風向板の位置を示す縦断面図で、（ｃ）は正面から暖気が吹出されたイメージ図である。
【図６】従来例による空気調和機の室内機の外観図で、（ａ）は運転停止時の図で、（ｂ）は運転時の図である。
【発明を実施するための形態】
【００１１】
以下、本発明を実施するための形態を、添付図面に基づいた実施例として詳細に説明する。
【実施例１】
【００１２】
本発明に係わる空気調和機は、屋外に設置される室外機（図示なし）と、空調室内に設置される室内機１とが冷媒配管を介して接続されて冷凍サイクルを構成する。図１は空調室の天井Ｔ近くの壁面Ｋに取り付けられた運転停止時の室内機１の外観図であり、図２は運転時の室内機１の外観図であり、図３は室内機の縦断面図である。室内機１は、横長の直方体状に形成された筐体１０を有する。また、室内機１は、横長の直方体状に限定はされず、底面の外周縁部が水平面上に位置すれば、いかなる形でもよい。
【００１３】
なお、図１において室内機１の壁面Ｋ側にある面を背面とし、その対面を前面とし、天井Ｔ側にある面を天面とし、天面の対面を底面とし、図１の右側の側面を右側面とし、右側面の対面を左側面として以下説明する。また、内部部品についても同様に説明する。
【００１４】
筐体１０の前面と左右側面と天面は、前面パネル１１と背面パネル１２で覆われる。前面パネル１１と背面パネル１２は筐体１０の右側面と左側面の中央を通る分割線で前後に分割される。前面パネル１１と背面パネル１２の天面（上部）は開口部を備え、これが吸込口１４となる。
また、筐体１０は背面パネル１２を備えず前面パネル１１が奥行のある箱状で壁面Ｋ近傍まで形成する構成でもよい。
【００１５】
筐体１０の底面は、底面パネル２０で覆われるが、これに限らず、底面パネル２０を用いずに後述するケーシング３０が筐体１０の底面まで形成する構成でもよく、また、前面パネル１１と背面パネル１２がそれぞれ底面パネル２０まで兼ねる構成でもよい。
底面パネル２０は、筐体１０の長手方向に平行な横長矩形状の吹出口１６を備える。吹出口１６は運転停止時に後述する上下風向板４０で覆われて隠される。
【００１６】
前面パネル１１は平面状の前面と左右角隅に曲面を備え、下端の底面パネル２０との合わせ目を覆う飾り板１５を備える。室内機１の運転時には飾り板１５の前面右隅が複数箇所発光する。これが運転状態を知らせる表示部１５１となる。
【００１７】
筐体１０の内部には、図３に示すように筐体１０の長手方向と平行に配置されたクロスフローファン型の送風ファン１７と、送風ファン１７の周囲を囲む２段の前方熱交換器１８１と後方熱交換器１８２とからなる熱交換器１８とを備える。熱交換器１８と吸込口１４の間にはフィルタ１３を備える。また、吸込口１４と吹出口１６を結ぶ送風路１９の送風ファン１７から吹出口１６までを形成するケーシング３０を備える。送風ファン１７は筐体１０内の右側で図示しないファンモータに軸支される。ファンモータと熱交換器１８はケーシング３０に支持される。ケーシング３０は、送風ファン１７に空気を導く背面側のリアガイダ３１１から吹出口１６までを結ぶ下壁３１と、送風ファン１７に空気を導く前面側のスタビライザ３２１から吹出口１６までを結ぶ上壁３２とで送風路１９の一部を形成する。上壁３２は前方熱交換器１８１のドレンパン３２２を兼ね、下壁３１のリアガイダ３１１から背面側に延出する壁が後方熱交換器１８２のドレンパン３１２となる。
【００１８】
送風ファン１７と吹出口１６の間の送風路１９内には左右風向板５０が設けられる。左右風向板５０は送風ファン１７の軸方向に対し垂直方向に平行に複数配置され、左右風向板５０の前方を駆動軸（図示なし）に軸支され、左右風向板５０の後方を下壁３１に軸支される。駆動軸（図示なし）が左右へ移動することで左右風向板５０の前方が移動して、吹出口１６から吹き出される空気の流れを左右方向に偏向する。
【００１９】
室内機１０は図示しないファンモータにより送風ファン１７が回転することで吸込口１６から取り入れられた室内空気を、熱交換器１８で冷媒と熱交換して冷気Ｃまたは暖気Ｗに換え、左右風向板５０と後述する上下風向板４０で風向調整をして吹出口１６から空調室に吹き出す。
【００２０】
底面パネル２０は図３において底面の下端の外周縁部２０１から高さｈ１上方の位置に前述した吹出口１６を備える。吹出口１６の周囲には、吹出口１６の周縁部１６１から下方へ広がる傾斜面２１を備える。傾斜面２１は平面状の前スロープ２１１と後スロープ２１２と図１に示す右スロープ２１３と左スロープ２１４と、これらを繋ぐ四方の角部とからなる。また少なくとも傾斜面２１は、前スロープ２１１と後スロープ２１２だけでもよい。また、傾斜面２１は平面状ではなく、用途に合わせ曲面状に形成されてもよい。
図１と図３において傾斜面２１は、底面パネル２０の下端の外周縁部２０１と連結しているが、これに限らず底面パネル２０の底面に水平面を設け、水平面上に凹部を設け、凹部の周囲が傾斜面２１となる構成でもよい。
【００２１】
図３において吹出口１６の下方で底面の下端の外周縁部２０１から高さｈ２で少なくとも傾斜面２１の前スロープ２１１と後スロープ２１２にそれぞれ近接する位置に上下風向板４０が配置される。上下風向板４０は平板形状であるが、これに限らず前後方向で下方へ膨出させた断面円弧形状でもよい。また、図３では上下風向板４０は配置された状態で前後が水平であるが、これに限らず前方または後方へ傾斜した形状でもよい。上下風向板４０の奥行方向の幅ｄ２は吹出口１６の奥行方向の幅ｄ１よりも大きく、上下風向板４０は少なくとも前後に傾斜面２１の前スロープ２１１と後スロープ２１２にそれぞれ平行な風向板傾斜部４１を備える。
また図示はしないが、上下風向板４０は傾斜面２１の右スロープ２１３と左スロープ２１４にそれぞれ近接する位置に配置され、右スロープ２１３と左スロープ２１４にそれぞれ平行な風向板傾斜部４１を備える。
【００２２】
空気調和機の運転停止時には、上下風向板４０は吹出口１６の周縁部１６１を覆うように近接させて位置することにより、吹出口１６は外部から見えなくなる。また、上下風向板４０の周囲は傾斜面２１に合わせ傾斜していることから傾斜面２１との隙間が小さく目立たなくなり、これにより空気調和機の使用者には吹出口１６が視認されなくなるとともに、一見すると傾斜面２１と上下風向板４０は別部品ではなく一体であるように見える。これにより、外観の印象がよくなり美観が向上される。
【００２３】
次に上下風向板４０の駆動機構４について説明する。駆動機構４は、上壁３２から下方に向かって突設されるアーム支持部４２と、アーム支持部４２の内部に収納されるアーム４３と、ドレンパン３２２の下でアーム支持部４２の対面に設けた駆動装置４４とからなる。
上下風向板４０は吹出口１６側の面に２か所アーム受部４５を備える。アーム４３は上下風向板側の先端に回転軸４３１を備え、回転軸４３１をアーム受部４５に軸支させる。これにより図３（ｂ）に示すように駆動装置４４がアーム支持部４２の内部に収納されるアーム４３を上下に移動させることで、上下風向板４０は上下に移動可能となる。また、アーム支持部４２内には風向変更ワイヤー（図示なし）も収納し、風向変更ワイヤーで上下風向板４０の前後の角度を回動させることができる。
尚、駆動機構４はこれに限らずダンパーを使った機構でもよく、さらにアーム４３ではなくワイヤーだけを使った機構でも可能である。この場合は、ワイヤーがアームよりも細く見えにくくなることから、運転時も吹出口１６から上下風向板４０を吊っているものが見えず、上下風向板４０が宙に浮いているように見え、さらに美観が向上する。
また、アーム支持部４２は上壁３２から突設されるとしたが、これに限らず下壁３１から突設されてもよいし、また上壁３２と下壁３１を連結して設けてもよい。
【００２４】
次に冷房運転状態について図４を基に説明する。冷房運転が開始されると、上下風向板４０は駆動機構４によってアーム４３が降下し底面パネル２０の外周縁部２０１近傍まで下がる。図４（ａ）（ｃ）では上下風向板４０は水平状態である。冷気Ｃ１はケーシング３０の上壁３２と底面パネル２０の前スロープ２１１に沿って前方に導かれる。また、後スロープ２１２によって壁面Ｋに向かっても冷気Ｃ２が吹出され、壁面Ｋに沿って壁面Ｋを冷やし部屋全体を冷房する。さらに上下風向板４０はアーム４３によって吊下げられた状態であることから、右側方と左側方にも冷気Ｃ４が吹き出される。
部屋全体が冷房されると、図４（ｂ）に示すように、上下風向板４０は若干前方が下方へ傾斜するように駆動機構４によって回動する。冷気Ｃ３は前方に遠くまで吹き出される。
【００２５】
次に暖房運転状態について図５を基に説明する。暖房運転が開始されると、上下風向板４０は駆動機構４によって底面パネル２０の外周縁部２０１よりも下の位置まで下降される。図５（ａ）（ｃ）では上下風向板４０は水平状態である。吹き出される口は冷房運転状態よりも開口されていることから、暖気Ｗ１はケーシング３０の上壁３２と底面パネル２０の前スロープ２１１に沿って冷気Ｃ１よりも下方に導かれる。また、後スロープ２１２によって壁面Ｋに向かっても暖気Ｗ２が吹出されるが、やはり冷気Ｃ２よりも下に吹出され、壁面Ｋに沿って壁面Ｋを温め部屋全体を暖房する。さらに上下風向板４０はアーム４３によって吊下げられた状態であることから、右側方と左側方にも暖気Ｗ４が吹き出される。
部屋全体が暖房されると、図５（ｂ）に示すように、上下風向板４０は冷房運転時に比べ前方が大きく下方へ傾斜するように駆動機構４によって回動する。上下風向板４０はケーシング３０の上壁３２と平行になる位置まで回動し、上下風向板４０の後端は吹出口１６の周縁部１６１と連なる位置まで上がる。これにより、送風路１０が延長した状態となり、暖気Ｗ３は下方に吹き出される。
【００２６】
図４（ａ）の冷房運転状態および図５（ａ）暖房運転状態のいずれも使用者の位置からは吹出口１６は上下風向板４０により隠されているように見え、図２のように内部までは視認されにくくなる。また、同様に図４（ｂ）の冷房運転状態および図５（ｂ）暖房運転状態においても、吹出口１６自体が筐体１０の奥側に位置し、且つ左右風向板５０が吹出口１６よりもさらに奥まった位置にあることから、吹出口１６の内部までは視認されにくくなる。
【００２７】
以上の構成により、室内機１の運転停止時には、上下風向板４０は吹出口１６を覆い隠すように位置することにより、吹出口１６は見えなくなる。さらに、上下風向板４０の周囲は傾斜面２１に合わせ傾斜していることから傾斜面２１との隙間が小さく目立たなくなり、これにより空気調和機の使用者には吹出口１６が視認されなくなるとともに、傾斜面２１と上下風向板４０は別部品ではなく一体であるように見え、美観が向上される。
また、室内機１は、運転時においても吹出口１６が筐体１０の奥側に位置することから、吹出口１６の内部までは視認されにくくなり、美観の向上が図れる。
さらに、従来例のように運転時において開閉パネルを可動しなくても美観を維持でき、さらに大型部品である開閉パネル用の駆動装置も必要としないことでコストの削減にもなる。
【符号の説明】
【００２８】
１：室内機、１０：筐体、１１：前面パネル、１２：背面パネル、１４：吸込口、１５：飾り板、１６：吹出口、１６１：周縁部、１７：送風ファン、１８：熱交換器、１９：送風路
２０：底面パネル、２０１：外周縁部、２１：傾斜面
３０：ケーシング、３１：下壁、３２：上壁
４：駆動機構、４０：上下風向板、４１：風向板傾斜部、４２：アーム支持部、４３：アーム、４３１：回転軸、４４：駆動装置、４５：アーム受部
Ｋ：壁面、Ｔ：天井、Ｃ１・Ｃ２・Ｃ３・Ｃ４：冷気、Ｗ１・Ｗ２・Ｗ３・Ｗ４：暖気
【図３】
2015068566.tif 000003
【図４】
2015068566.tif 000004
【図５】
2015068566.tif 000005
【図６】
2015068566.tif 000006
【図１】
2015068566.tif 000007
【図２】
2015068566.tif 000008